【手続補正書】
【提出日】平成18年4月13日(2006.4.13)
【手続補正１】
【補正対象書類名】明細書
【補正対象項目名】特許請求の範囲
【補正方法】変更
【補正の内容】
【特許請求の範囲】
【請求項１】  携帯用の電子機器において、
第１のエネルギーを第２のエネルギーである電気エネルギーに変換することにより発電を行う発電手段と、
前記発電により得られた電気エネルギーを蓄える電源手段と、
前記電源手段から供給される電気エネルギーにより駆動される被駆動手段と、
前記発電手段における発電がなされているか否かを検出する発電検出手段と、
前記発電手段における発電電圧または前記電源手段における蓄電電圧が予め定めた基準電圧を超過したか否かを検出する電圧検出手段と、
前記発電検出手段により前記発電手段において発電がなされていないことが検出されたことにより前記被駆動手段の動作モードを節電モードに移行させる一方、発電がなされていることが検出されたことにより前記被駆動手段の動作モードを通常動作モードに移行させる動作モード制御手段と、
前記通常動作モードである場合に、前記電圧検出手段により前記発電電圧または前記蓄電電圧が前記基準電圧を超過したと検出されたことによりオン状態となって前記発電手段の出力を短絡状態とするリミッタ手段と、を備え、
前記動作モード制御手段は、前記節電モードに移行させる際に、前記発電がなされていないことが所定時間継続した場合に前記被駆動手段の動作モードを節電モードに移行させ、
前記節電モードである場合、前記リミッタ手段は、オフ状態となり前記発電手段の出力を非短絡状態とする
ことを特徴とする電子機器。
【請求項２】  携帯用の電子機器において、
第１のエネルギーを第２のエネルギーである電気エネルギーに変換することにより発電を行う発電手段と、
前記発電により得られた電気エネルギーを蓄える電源手段と、
前記電源手段から供給される電気エネルギーにより駆動される被駆動手段と、
前記発電手段における発電がなされているか否かを検出する発電検出手段と、
前記発電手段における発電電圧または前記電源手段における蓄電電圧が予め定めた基準電圧を超過したか否かを検出する電圧検出手段と、
前記発電検出手段により前記発電手段において発電がなされていないことが検出されたことにより前記被駆動手段の動作モードを節電モードに移行させる一方、発電がなされていることが検出されたことにより前記被駆動手段の動作モードを通常動作モードに移行させる動作モード制御手段と、
前記通常動作モードである場合に、前記電圧検出手段により前記発電電圧または前記蓄電電圧が前記基準電圧を超過したと検出されたことによりオン状態となって前記発電手段と前記電源手段との間の接続を電気的に切り離すリミッタ手段と、を備え、
前記動作モード制御手段は、前記節電モードに移行させる際に、前記発電がなされていないことが所定時間継続した場合に前記被駆動手段の動作モードを節電モードに移行させ、
前記節電モードである場合、前記リミッタ手段は、オフ状態となり前記発電手段と前記電源手段との間を電気的に接続する
ことを特徴とする電子機器。
【請求項３】  請求項１または２記載の電子機器において、
前記被駆動手段は、時刻表示を行う時刻表示手段である
ことを特徴とする電子機器。
【請求項４】  請求項３記載の電子機器において、
前記動作モード制御手段は、前記節電モード時には前記時刻表示手段における時刻表示動作を停止させ、前記節電モードから前記通常動作モードへ移行させるときには前記時刻表示手段に現時刻を表示させるとともに時刻表示動作を再開させる
ことを特徴とする電子機器。
【請求項５】  請求項３または４記載の電子機器において、
前記時刻表示手段は、時刻のアナログ表示を行うアナログ指針と、
前記アナログ指針を駆動する指針駆動手段と、を備え、
前記動作モード制御手段は、前記節電モード時においては、前記指針駆動手段の動作を停止させる動作停止手段を備えた、
ことを特徴とする電子機器。
【請求項６】  第１のエネルギーを第２のエネルギーである電気エネルギーに変換することにより発電を行う発電ユニットと、前記発電により得られた電気エネルギーを蓄える電源ユニットと、前記電源ユニットから供給される電気エネルギーにより駆動される被駆動ユニットと、前記発電ユニットにおける発電がなされているか否かを検出する発電検出ユニットと、前記発電ユニットにおける発電電圧または前記電源ユニットにおける蓄電電圧が予め定めた基準電圧を超過したか否かを検出する電圧検出ユニットと、
を有する携帯用の電子機器の制御方法において、
前記発電がなされていないことが検出されたことにより前記被駆動ユニットの動作モードを節電モードに移行させる一方、前記発電がなされていることが検出されたことにより前記被駆動ユニットの動作モードを通常動作モードに移行させる動作モード制御行程と、
前記通常動作モードである場合に、前記発電電圧または前記蓄電電圧が前記基準電圧を超過したと検出されたことにより、前記発電ユニットの出力を短絡状態とする行程と、
前記節電モードである場合、前記発電ユニットの出力を非短絡状態とする行程と、
を有し、
前記動作モード制御行程は、前記節電モードに移行させる際に、前記発電がなされていないことが所定時間継続した場合に前記被駆動ユニットの動作モードを節電モードに移行させる
ことを特徴とする電子機器の制御方法。
【請求項７】  第１のエネルギーを第２のエネルギーである電気エネルギーに変換することにより発電を行う発電ユニットと、前記発電により得られた電気エネルギーを蓄える電源ユニットと、前記電源ユニットから供給される電気エネルギーにより駆動される被駆動ユニットと、前記発電ユニットにおける発電がなされているか否かを検出する発電検出ユニットと、前記発電ユニットにおける発電電圧または前記電源ユニットにおける蓄電電圧が予め定めた基準電圧を超過したか否かを検出する電圧検出ユニットと、を有する携帯用の電子機器の制御方法において、
前記発電がなされていないことが検出されたことにより前記被駆動ユニットの動作モードを節電モードに移行させる一方、前記発電がなされていることが検出されたことにより前記被駆動ユニットの動作モードを通常動作モードに移行させる動作モード制御行程と、
前記通常動作モードである場合に、前記発電電圧または前記蓄電電圧が前記基準電圧を超過したと検出されたことにより、前記発電ユニットと前記電源ユニットとの間の接続を電気的に切り離す行程と、
前記節電モードである場合、前記発電ユニットと前記電源ユニットとの間を電気的に接続する行程と、
を有し、
前記動作モード制御行程は、前記節電モードに移行させる際に、前記発電がなされていないことが所定時間継続した場合に前記被駆動ユニットの動作モードを節電モードに移行させる
ことを特徴とする電子機器の制御方法。
【請求項８】  請求項６または７記載の電子機器の制御方法において、
前記被駆動ユニットは、
時刻のアナログ表示を行うアナログ指針と、
前記アナログ指針を駆動する指針駆動ユニットと、
を備えた時刻表示ユニットであり、
前記動作モード制御行程は、前記節電モード時においては、前記指針駆動ユニットの動作を停止させる動作停止行程を備えた、
ことを特徴とする電子機器の制御方法。
【手続補正２】
【補正対象書類名】明細書
【補正対象項目名】０００５
【補正方法】変更
【補正の内容】
【０００５】
【課題を解決するための手段】
上記課題を解決するため、請求項１記載の構成は、携帯用の電子機器において、第１のエネルギーを第２のエネルギーである電気エネルギーに変換することにより発電を行う発電手段と、前記発電により得られた電気エネルギーを蓄える電源手段と、前記電源手段から供給される電気エネルギーにより駆動される被駆動手段と、前記発電手段における発電がなされているか否かを検出する発電検出手段と、前記発電手段における発電電圧または前記電源手段における蓄電電圧が予め定めた基準電圧を超過したか否かを検出する電圧検出手段と、前記発電検出手段により前記発電手段において発電がなされていないことが検出されたことにより前記被駆動手段の動作モードを節電モードに移行させる一方、発電がなされていることが検出されたことにより前記被駆動手段の動作モードを通常動作モードに移行させる動作モード制御手段と、前記通常動作モードである場合に、前記電圧検出手段により前記発電電圧または前記蓄電電圧が前記基準電圧を超過したと検出されたことによりオン状態となって前記発電手段の出力を短絡状態とするリミッタ手段と、を備え、前記動作モード制御手段は、前記節電モードに移行させる際に、前記発電がなされていないことが所定時間継続した場合に前記被駆動手段の動作モードを節電モードに移行させ、前記節電モードである場合、前記リミッタ手段は、オフ状態となり前記発電手段の出力を非短絡状態とすることを特徴としている。
また、請求項２記載の構成は、携帯用の電子機器において、第１のエネルギーを第２のエネルギーである電気エネルギーに変換することにより発電を行う発電手段と、前記発電により得られた電気エネルギーを蓄える電源手段と、前記電源手段から供給される電気エネルギーにより駆動される被駆動手段と、前記発電手段における発電がなされているか否かを検出する発電検出手段と、前記発電手段における発電電圧または前記電源手段における蓄電電圧が予め定めた基準電圧を超過したか否かを検出する電圧検出手段と、前記発電検出手段により前記発電手段において発電がなされていないことが検出されたことにより前記被駆動手段の動作モードを節電モードに移行させる一方、発電がなされていることが検出されたことにより前記被駆動手段の動作モードを通常動作モードに移行させる動作モード制御手段と、前記通常動作モードである場合に、前記電圧検出手段により前記発電電圧または前記蓄電電圧が前記基準電圧を超過したと検出されたことによりオン状態となって前記発電手段と前記電源手段との間の接続を電気的に切り離すリミッタ手段と、を備え、前記動作モード制御手段は、前記節電モードに移行させる際に、前記発電がなされていないことが所定時間継続した場合に前記被駆動手段の動作モードを節電モードに移行させ、前記節電モードである場合、前記リミッタ手段は、オフ状態となり前記発電手段と前記電源手段との間を電気的に接続することを特徴としている。
【手続補正３】
【補正対象書類名】明細書
【補正対象項目名】０００６
【補正方法】変更
【補正の内容】
【０００６】
請求項３記載の構成は、請求項１または２記載の構成において、前記被駆動手段は、時刻表示を行う時刻表示手段であることを特徴としている。
【手続補正４】
【補正対象書類名】明細書
【補正対象項目名】０００７
【補正方法】変更
【補正の内容】
【０００７】
請求項４記載の構成は、請求項３記載の構成において、前記動作モード制御手段は、前記節電モード時には前記時刻表示手段における時刻表示動作を停止させ、前記節電モードから前記通常動作モードへ移行させるときには前記時刻表示手段に現時刻を表示させるとともに時刻表示動作を再開させることを特徴としている。
【手続補正５】
【補正対象書類名】明細書
【補正対象項目名】０００８
【補正方法】変更
【補正の内容】
【０００８】
請求項５記載の構成は、請求項３または４記載の構成において、前記時刻表示手段は、時刻のアナログ表示を行うアナログ指針と、前記アナログ指針を駆動する指針駆動手段と、を備え、前記動作モード制御手段は、前記節電モード時においては、前記指針駆動手段の動作を停止させる動作停止手段を備えた、ことを特徴としている。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
請求項６記載の電子機器の制御方法は、第１のエネルギーを第２のエネルギーである電気エネルギーに変換することにより発電を行う発電ユニットと、前記発電により得られた電気エネルギーを蓄える電源ユニットと、前記電源ユニットから供給される電気エネルギーにより駆動される被駆動ユニットと、前記発電ユニットにおける発電がなされているか否かを検出する発電検出ユニットと、前記発電ユニットにおける発電電圧または前記電源ユニットにおける蓄電電圧が予め定めた基準電圧を超過したか否かを検出する電圧検出ユニットと、を有する携帯用の電子機器の制御方法において、前記発電がなされていないことが検出されたことにより前記被駆動ユニットの動作モードを節電モードに移行させる一方、前記発電がなされていることが検出されたことにより前記被駆動ユニットの動作モードを通常動作モードに移行させる動作モード制御行程と、前記通常動作モードである場合に、前記発電電圧または前記蓄電電圧が前記基準電圧を超過したと検出されたことにより、前記発電ユニットの出力を短絡状態とする行程と、前記節電モードである場合、前記発電ユニットの出力を非短絡状態とする行程と、を有し、前記動作モード制御行程は、前記節電モードに移行させる際に、前記発電がなされていないことが所定時間継続した場合に前記被駆動ユニットの動作モードを節電モードに移行させることを特徴としている。
請求項７記載の電子機器の制御方法は、第１のエネルギーを第２のエネルギーである電気エネルギーに変換することにより発電を行う発電ユニットと、前記発電により得られた電気エネルギーを蓄える電源ユニットと、前記電源ユニットから供給される電気エネルギーにより駆動される被駆動ユニットと、前記発電ユニットにおける発電がなされているか否かを検出する発電検出ユニットと、前記発電ユニットにおける発電電圧または前記電源ユニットにおける蓄電電圧が予め定めた基準電圧を超過したか否かを検出する電圧検出ユニットと、を有する携帯用の電子機器の制御方法において、前記発電がなされていないことが検出されたことにより前記被駆動ユニットの動作モードを節電モードに移行させる一方、前記発電がなされていることが検出されたことにより前記被駆動ユニットの動作モードを通常動作モードに移行させる動作モード制御行程と、前記通常動作モードである場合に、前記発電電圧または前記蓄電電圧が前記基準電圧を超過したと検出されたことにより、前記発電ユニットと前記電源ユニットとの間の接続を電気的に切り離す行程と、前記節電モードである場合、前記発電ユニットと前記電源ユニットとの間を電気的に接続する行程と、を有し、前記動作モード制御行程は、前記節電モードに移行させる際に、前記発電がなされていないことが所定時間継続した場合に前記被駆動ユニットの動作モードを節電モードに移行させることを特徴としている。
【手続補正１０】
【補正対象書類名】明細書
【補正対象項目名】００１３
【補正方法】変更
【補正の内容】
【００１３】
請求項８記載の方法は、請求項６または７記載の電子機器の制御方法において、前記被駆動ユニットは、時刻のアナログ表示を行うアナログ指針と、前記アナログ指針を駆動する指針駆動ユニットと、を備えた時刻表示ユニットであり、前記動作モード制御行程は、前記節電モード時においては、前記指針駆動ユニットの動作を停止させる動作停止行程を備えた、ことを特徴としている。
【手続補正１１】
【補正対象書類名】明細書
【補正対象項目名】００１４
【補正方法】削除
【補正の内容】
【手続補正１２】
【補正対象書類名】明細書
【補正対象項目名】００５５
【補正方法】変更
【補正の内容】
【００５５】
【発明の効果】
本発明によれば、発電手段の発電状態に基づいて、被駆動手段の動作モードを通常動作モードと節電モードとの間で相互に移行させることとなるが、被駆動手段の動作モードが節電モードにある場合にはリミッタ手段がオン状態にならないので、節電モードにおいて、発電手段の発電状態を検出して確実に通常動作モードへ移行させることが可能となる。